(57)【要約】【課題】院内感染の影響範囲に関与する人物の移動情報および影響の程度を詳細に追跡できる院内感染影響範囲閲覧システムおよび院内感染影響範囲表示方法を提供する。【解決手段】院内感染影響範囲閲覧システム１は、医療施設内に配置されたラウンド経路機器３０と、ラウンド経路機器３０との交信記録から人物のラウンド情報を記録するラウンドログ記録端末２０と、予め設定された解析ルールに基づいてラウンド情報を解析して前記人物の感染危険度を算出するログ解析部１１２と、予め設定されたマップ情報と、ラウンド情報で得られた人物の移動経路と、人物の感染危険度とに基づいて、医療施設における感染影響範囲を表示するマップ表示部１１３と、を有する。【選択図】図１
2016184196.tif 000002
【特許請求の範囲】
【請求項１】
医療施設内を移動する人物の移動情報を収集し、収集した移動情報から当該人物による院内感染の影響範囲を追跡する院内感染影響範囲閲覧システムであって、
前記医療施設内に配置されたラウンド経路機器と、
前記ラウンド経路機器との交信記録から前記人物のラウンド情報を記録するラウンドログ記録端末と、
予め設定された解析ルールに基づいて前記ラウンド情報を解析して前記人物の感染危険度を算出するログ解析部と、
予め設定されたマップ情報と、前記ラウンド情報で得られた前記人物の移動経路と、前記人物の感染危険度とに基づいて、前記医療施設における感染影響範囲を表示するマップ表示部と、を有することを特徴とする院内感染影響範囲閲覧システム。
【請求項２】
請求項１に記載された院内感染影響範囲閲覧システムにおいて、
前記ラウンド経路機器は、患者のバイタルを測定するバイタル機器、前記医療施設内に配置されたバーコードリーダ、前記医療施設内に配置された消毒ポンプの操作を検出するセンサの少なくともいずれかを含むことを特徴とする院内感染影響範囲閲覧システム。
【請求項３】
請求項１または請求項２に記載された院内感染影響範囲閲覧システムにおいて、
前記解析ルールは、距離的影響レベル、時間的影響レベル、衛生的影響レベル、機会的影響レベルのいずれかを含む重み付ルールであり、前記重み付けルールで得られた影響レベルを危険度ルールで定める計算式で演算することで、前記人物の特定の時点での感染危険度を算出可能であることを特徴とする院内感染影響範囲閲覧システム。
【請求項４】
請求項１から請求項３のいずれか一項に記載された院内感染影響範囲閲覧システムにおいて、
前記マップ情報は、前記医療施設内のフロア配置およびベッド配置を示すマップデータと、前記マップデータに感染危険度を表示するためのエリア表示ルールと、を含むことを特徴とする院内感染影響範囲閲覧システム。
【請求項５】
医療施設内を移動する人物の移動情報を収集し、収集した移動情報から当該人物による院内感染の影響範囲を追跡する院内感染影響範囲表示方法であって、
前記医療施設内に配置されたラウンド経路機器を用い、前記ラウンド経路機器との交信記録から前記人物のラウンド情報を記録し、
予め設定された解析ルールに基づいて前記ラウンド情報を解析して前記人物の感染危険度を算出し、
予め設定されたマップ情報と、前記ラウンド情報で得られた前記人物の移動経路と、前記人物の感染危険度とに基づいて、前記医療施設における感染影響範囲を表示することを特徴とする院内感染影響範囲表示方法。
【発明の詳細な説明】
【技術分野】
【０００１】
本発明は、院内感染影響範囲閲覧システムおよび院内感染影響範囲表示方法に関する。
【背景技術】
【０００２】
病院などの医療機関では、院内感染への対策が重要な課題とされている。院内感染が検出された際には、その影響とくに伝染経路や伝染範囲を把握することが要求される。
近年、医療業務における情報処理を支援する医療業務支援システムが盛んに導入されている。このようなシステムにおいて、院内感染の経路や範囲を把握しようとする試みがなされている。
【０００３】
特許文献１の感染情報提供システムは、感染源患者情報を基に、当該患者と同一時期に同一の病室に滞在した患者であって、指定された病原体に感染した患者について、その入退院移動情報、医療施設におけるフロアの滞在履歴等を調査し、バーグラフとして表示する。
【０００４】
特許文献２の感染通知方法及び感染通知装置は、移動端末毎の接触情報を収集しており、利用者の感染を検知すると、感染者の移動端末の情報から、感染期間内に感染者と飛沫感染範囲内に指定時間以上いた他の利用者を特定し、感染警告を通知する。
【０００５】
特許文献３の看護支援システムは、ナースコール親機に感染症対応検索モードが設定され、オペレータが感染症に指定された患者名又はＩＤと期間又は日付を検索条件として入力すると、在院履歴データベースが検索され、指定された患者と同一期間又は日に同一病棟又は病室に在院した他の患者のリストが作成されて表示される。
【先行技術文献】
【特許文献】
【０００６】
【特許文献１】特開２０１２−２３４３４７号公報
【特許文献２】特開２０１２−１９４８０８号公報
【特許文献３】特開２００５−０２５４５７号公報
【発明の概要】
【発明が解決しようとする課題】
【０００７】
前述した特許文献１のシステムは、指定された病原体に感染した患者（追跡対象の患者）について、その移動情報や滞在履歴等をバーグラフとして表示することができ、他の患者との関連を知る上で有益である。
【０００８】
しかし、特許文献１のシステムは、追跡対象の患者の滞在場所や時間は解るものの、そこで誰とどのように接触したかなど、感染に関するより詳細な情報は得られない。
この点は、特許文献２および特許文献３のシステムにおいても同様であり、より詳細な情報を追跡できるシステムが求められていた。
【０００９】
本発明の目的は、院内感染の影響範囲に関与する人物の移動情報および影響の程度を詳細に追跡できる院内感染影響範囲閲覧システムおよび院内感染影響範囲表示方法を提供することにある。
【課題を解決するための手段】
【００１０】
本発明の院内感染影響範囲閲覧システムは、医療施設内を移動する人物の移動情報を収集し、収集した移動情報から当該人物による院内感染の影響範囲を追跡する院内感染影響範囲閲覧システムであって、前記医療施設内に配置されたラウンド経路機器と、前記ラウンド経路機器との交信記録から前記人物のラウンド情報を記録するラウンドログ記録端末と、予め設定された解析ルールに基づいて前記ラウンド情報を解析して前記人物の感染危険度を算出するログ解析部と、予め設定されたマップ情報と、前記ラウンド情報で得られた前記人物の移動経路と、前記人物の感染危険度とに基づいて、前記医療施設における感染影響範囲を表示するマップ表示部と、を有することを特徴とする。
【００１１】
このような本発明では、医療施設内に配置されたラウンド経路機器を用いて院内の人物のラウンド情報を蓄積し、この人物の移動情報および各所での活動内容に基づいて、感染伝播の追跡を行うことができる。
追跡にあたっては、所定の解析ルールに基づいて感染の影響についての判定精度を高めることができる。
そして、感染の可能性がある人物の移動を追跡し、その結果をマップ表示することにより、二次感染の影響を視覚的に把握することができる。
【００１２】
これらにより、本発明によれば、院内感染の影響範囲に関与する人物の移動情報および影響の程度を詳細に追跡できる。
なお、本発明において、追跡対象の人物としては、複数の患者と接触する機会がある医師や看護師などのスタッフが主に想定されるが、患者や面会者などを含めてもよい。
【００１３】
本発明の院内感染影響範囲閲覧システムにおいて、前記ラウンド経路機器は、患者のバイタルを測定するバイタル機器、前記医療施設内に配置されたバーコードリーダ、前記医療施設内に配置された消毒ポンプの操作を検出するセンサの少なくともいずれかを含むことが好ましい。
【００１４】
このような本発明では、既存の機器を利用してラウンドログを収集することができる。例えば、看護師が患者のバイタル測定を行えば、その場所をラウンドログとして取得することができ、その際に患者のリストバンドのバーコードおよび看護師の名札のバーコードをリーダで読み取れば、誰と誰が接触したかをラウンドログとして取得することができる。
さらに、消毒ポンプの操作を検出するセンサを用いることで、消毒というイベントを記録することができる。消毒を行うことは、それにより感染の可能性を減少させることができるため、感染伝播の評価にあたって重要であり、解析が必要な情報量を削減すること（消毒のあとの移動では感染の評価を保留するなど）もできる。
【００１５】
本発明の院内感染影響範囲閲覧システムにおいて、前記解析ルールは、距離的影響レベル、時間的影響レベル、衛生的影響レベル、機会的影響レベルのいずれかを含む重み付ルールであり、前記重み付けルールで得られた影響レベルを危険度ルールで定める計算式で演算することで、前記人物の特定の時点での感染危険度を算出可能であることが好ましい。
【００１６】
このような本発明では、解析ルールを用いることで、感染危険度の精度を高めることができ、一方で感染度が低い場合の不必要な対策を解消することもできる。
【００１７】
本発明の院内感染影響範囲閲覧システムにおいて、前記マップ情報は、前記医療施設内のフロア配置およびベッド配置を示すマップデータと、前記マップデータに感染危険度を表示するためのエリア表示ルールと、を含むことが好ましい。
【００１８】
このような本発明では、感染の可能性がある人物の移動をマップ表示する際に、予め設定されたエリア表示ルールを用いることで、医療施設内のフロア配置およびベッド配置に応じた感染危険度を適切に表示することができる。
【００１９】
本発明の院内感染影響範囲表示方法は、医療施設内を移動する人物の移動情報を収集し、収集した移動情報から当該人物による院内感染の影響範囲を追跡する院内感染影響範囲表示方法であって、前記医療施設内に配置されたラウンド経路機器を用い、前記ラウンド経路機器との交信記録から前記人物のラウンド情報を記録し、予め設定された解析ルールに基づいて前記ラウンド情報を解析して前記人物の感染危険度を算出し、予め設定されたマップ情報と、前記ラウンド情報で得られた前記人物の移動経路と、前記人物の感染危険度とに基づいて、前記医療施設における感染影響範囲を表示することを特徴とする。
【００２０】
このような本発明では、前述した本発明の院内感染影響範囲閲覧システムと同様な作用効果を得ることができる。
【図面の簡単な説明】
【００２１】
【図１】本発明の院内感染影響範囲閲覧システムの一実施形態を示すブロック図。
【図２】前記実施形態におけるラウンドログ記録動作を示すシーケンス図。
【図３】前記実施形態におけるラウンドログの一例を示す図。
【図４】前記実施形態における重み付けルールを示す図。
【図５】前記実施形態における危険度ルールを示す図。
【図６】前記実施形態におけるラウンド中の危険度を示す模式図。
【図７】前記実施形態におけるマップデータを示す図。
【図８】前記実施形態におけるエリア表示ルールを示す図。
【図９】前記実施形態におけるエリア危険度の表示例を示す図。
【図１０】前記実施形態における危険度マップ表示の一例を示す図。
【図１１】前記実施形態における危険度マップ表示の他の例を示す図。
【発明を実施するための形態】
【００２２】
以下、本発明の一実施形態を図面に基づいて説明する。
〔医療業務支援システム〕
図１には、本実施形態の院内感染影響範囲閲覧システム１の構成が示されている。
院内感染影響範囲閲覧システム１は、院内システムを管理するサーバ１０、複数のラウンドログ記録端末２０を有し、それぞれは院内ネットワーク２に接続されている。
【００２３】
ラウンド経路機器３０は、医療施設内（院内）に配置されたバイタル機器３１、バーコードリーダ３２、消毒ポンプ３３を含む。
バイタル機器３１は、各室の患者用ベッド近傍に配置され、患者の体温、血圧、脈拍などを測定する計器などであり、各々は無線または有線で院内ネットワーク２に接続され、測定データをサーバ１０へと送信可能である。
なお、バイタル機器３１は、医療スタッフが持ち歩くものとしてもよい。
【００２４】
バーコードリーダ３２は、医療業務が実施される院内の各所に設置され、バーコードの読み取り動作を行うことで、読み取ったコード情報をサーバ１０へと送信可能である。
バーコードリーダ３２で読み取られるバーコードとしては、医療スタッフのＩＤカードに表示されたスタッフＩＤ、患者のリストバンドに表示された患者ＩＤ、処置する薬剤のパッケージに表示された薬剤ＩＤ、その他、処置の指示書に記載された指示情報ＩＤなどが含まれる。
なお、バーコードリーダ３２は、医療スタッフが持ち歩くものとしてもよい。
【００２５】
また、本実施形態ではバーコードリーダ３２としているが、至近距離で情報読み取りが可能な他の読み取り形式で代替してもよい。例えば、ＲＦＩＤタグリーダその他の近距離無線通信手段が利用できる。衛生面を考慮すると、接触をなるべく回避できる読み取り方式であることが望ましい。
【００２６】
消毒ポンプ３３は、病室の入口など院内の各所に設置されているほか、医療スタッフが個人で持ち歩く場合もある。
本実施形態において、消毒ポンプ３３には、消毒液の吐出操作を検出するセンサが設置され、各センサは無線または有線で院内ネットワーク２に接続され、操作された消毒ポンプ３３からは操作検出信号がサーバ１０へと送信される。
【００２７】
ラウンドログ記録端末２０は、例えばノート型パーソナルコンピュータなどで構成され、制御部２１の制御のもとで動作する。
さらに、ラウンドログ記録端末２０は、医療スタッフが操作するための操作部２３および表示部２４を有するとともに、通信部２２を介して院内ネットワーク２に接続されている。
【００２８】
ラウンドログ記録端末２０の制御部２１は、データ読込部２１１、ログ記憶部２１２、ログ送信部２１３を有する。
データ読込部２１１は、院内ネットワーク２に接続されたラウンド経路機器３０のうち、管轄範囲として指定された機器について、ラウンド情報を収集する。
【００２９】
ラウンド情報としては、バイタル機器３１の操作、バーコードリーダ３２によるバーコード読み取り、消毒ポンプ３３の操作を含む。
ログ記憶部２１２は、収集したラウンド情報を一時的に記憶し、ラウンドログとして蓄積する。
ログ送信部２１３は、予め指定されたタイミングで、その時点まで蓄積されたラウンドログをサーバ１０へと送信する。
【００３０】
サーバ１０は、制御部１１の制御のもとで動作するコンピュータシステムで構成され、通信部１２を介して院内ネットワーク２に接続されている。さらに、サーバ１０は、医療スタッフあるいは他のスタッフが操作するための操作部１３および表示部１４を備えている。
さらに、サーバ１０は、制御部１１で利用されるラウンドログデータベース１５および院内情報データベース１６を備えている。
【００３１】
サーバ１０の制御部１１は、ログ管理部１１１、ログ解析部１１２、マップ表示部１１３を有する。
ログ管理部１１１は、ラウンドログ記録端末２０からラウンドログを受信し、ラウンドログデータベース１５に記録する。
【００３２】
ログ解析部１１２は、操作部１３もしくはラウンドログ記録端末２０から解析指示された際に起動され、ラウンドログデータベース１５に記録された多数のラウンドログを解析し、その結果を表示部１４もしくはラウンドログ記録端末２０に表示する。
マップ表示部１１３は、ログ解析部１１２によるラウンドログ解析の際に起動され、解析結果の表示の際に、院内の危険度マップ表示を提供する。
【００３３】
これらのログ解析部１１２およびマップ表示部１１３における処理は、本発明に係るものであり、このあと詳細に説明する。
また、ラウンドログデータベース１５には前述したラウンドログが記録され、院内情報データベース１６には、院内情報としてのマップ情報およびスタッフ情報、ラウンドログ解析用の解析ルールが記録されている。これらについてもこのあと詳細に説明する。
【００３４】
〔ラウンドログ〕
本実施形態においては、ラウンド経路機器３０、ラウンドログ記録端末２０およびサーバ１０のログ管理部１１１により、ラウンドログデータベース１５にラウンドログが蓄積される。
図２には、ラウンドログを収集する記録動作の一例が示されている。
図３には、収集されたラウンドログの一例が示されている。
【００３５】
図２は、看護師などのスタッフ３が、院内の担当フロアをラウンドする場合のラウンドログ収集の例である。
スタッフ３は、ラウンドに出る際に、まず「ラウンド開始」を登録する（処理Ｓ２１）。具体的には、バーコードリーダ３２で自分のＩＤカードを読み取る。読み取られた「スタッフＩＤ」は、読み取り「時刻」とともに、ラウンドログ記録端末２０に記録される。
【００３６】
スタッフ３は、院内の廊下などに配置された消毒ポンプ３３で手を消毒する（処理Ｓ２２）。この際、消毒の「操作」が消毒ポンプ３３で検出され、「消毒記録」がその「時刻」とともに、ラウンドログ記録端末２０に記録される。
この際、スタッフ３が、消毒ポンプ３３に最寄りのバーコードリーダ３２で自分のＩＤカードを読み取ることで、「スタッフＩＤ」が「時刻」とともにラウンドログ記録端末２０に記録される。
【００３７】
ラウンドログ記録端末２０は、バーコードリーダ３２の場所と消毒ポンプ３３の場所の近さと時刻の近さから、「消毒記録」と「スタッフＩＤ」とを紐付ける。つまり、「消毒したのはスタッフ３である」というイベントとして記録する。
【００３８】
スタッフ３は、Ａ室に入る（処理Ｓ２３）。
この際、スタッフ３が、Ａ室入口のバーコードリーダ３２で自分のＩＤカードを読み取ることで、「スタッフＩＤ」が「時刻」とともにラウンドログ記録端末２０に記録される。
ラウンドログ記録端末２０は、バーコードリーダ３２がＡ室入口であることから、この記録が「スタッフ３がＡ室に入った」ことを示すイベントとして記録する。
【００３９】
スタッフ３は、Ａ室の患者の処置を行う（処理Ｓ２４）。
この際、スタッフ３は、バーコードリーダ３２で自分のＩＤカードを読み取ることで、「スタッフＩＤ」が「時刻」とともにラウンドログ記録端末２０に記録される。同様に、バーコードリーダ３２で患者のリストバンドを読み取ることで、「患者ＩＤ」が「時刻」とともにラウンドログ記録端末２０に記録される。
さらに、スタッフ３が、バイタル機器３１を操作することで、バイタルデータがラウンドログ記録端末２０を介してサーバ１０に送信されるとともに、「時刻」がラウンドログ記録端末２０に記録される。
【００４０】
ラウンドログ記録端末２０は、Ａ室という場所の近さと時刻の近さから、バイタル機器３１の「操作」と「スタッフＩＤ」と「患者ＩＤ」とを紐付ける。つまり、「スタッフ３はＡ室の患者とバイタル測定で接触した」というイベントとして記録する。
【００４１】
スタッフ３は、Ａ室を出る（処理Ｓ２５）。
この際、スタッフ３が、Ａ室入口のバーコードリーダ３２で自分のＩＤカードを読み取ることで、「スタッフＩＤ」が「時刻」とともにラウンドログ記録端末２０に記録される。
ラウンドログ記録端末２０は、バーコードリーダ３２がＡ室入口であり、かつ先に「入った」記録があることから、この記録が「スタッフ３がＡ室を出た」ことを示すイベントとして記録する。
【００４２】
スタッフ３は、再び消毒ポンプ３３で手を消毒する（処理Ｓ２６）。この際の動作は前述した処理Ｓ２２と同様である。
【００４３】
スタッフ３は、ラウンドを終了する際に、「ラウンド終了」を登録する（処理Ｓ２７）。具体的な操作は、ラウンド開始の処理Ｓ２１と同様である。
【００４４】
ラウンドログ記録端末２０は、ラウンド開始（処理Ｓ２１）からラウンド終了（処理Ｓ２７）までのイベントを、ひとまとまりのラウンドログとして記録する。
そして、ラウンドログ記録端末２０は、毎日午前０時などの予め指定されたタイミングで、記録されたラウンドログを、サーバ１０に送信し、保存させる（処理Ｓ２８）。
なお、サーバ１０への送信は、予め指定されたタイミングに限らず、ひとまとまりのラウンドログが記録された都度、これをサーバ１０に送信してもよい。
【００４５】
図３には、収集されたラウンドログ４０の一例が示されている。この例は、図２のログ収集で得られたラウンドログに対応している。
ラウンドログ４０は、一連のログを構成する複数のイベントにレコードを連続させたものであり、各レコードは、以下のようなフィールドを有する。
【００４６】
ラウンドログ４０には、ログ管理情報４０１として、ログ番号４１、ログ日付４２、ログ時刻４３、ログ機器４４が記録される。
また、ログ内容情報４０２として、スタッフ４５、患者４６、場所４７、イベント４８が記録される。
【００４７】
図３のレコードＲ３１は、前述した図２の処理Ｓ２１（ラウンド開始）に対応するものであり、ラウンドログ記録端末２０に送信された「時刻」がログ時刻４３に、「スタッフＩＤ」がスタッフ４５に登録され、イベント４８は「ラウンド開始」と設定される。
【００４８】
図３のレコードＲ３２，Ｒ３３は、前述した図２の処理Ｓ２２（消毒）に対応するものであり、ラウンドログ記録端末２０に送信された「時刻」がログ時刻４３に、「スタッフＩＤ」がスタッフ４５に登録され、「消毒記録」に基づいてイベント４８は「消毒」と設定される。
【００４９】
図３のレコードＲ３５，Ｒ３６，Ｒ３７は、前述した図２の処理Ｓ２４（患者処置）に対応するものであり、３つのレコードが関連づけられ、スタッフ４５「一山二子」が患者４６「三川四郎」に対して、場所４７「Ａ室３ベッド」で、イベント４８「バイタル測定」を行ったことを示す。
【００５０】
このほか、図３のレコードＲ３４は図２の処理Ｓ２３（Ａ室に入る）、図３のレコードＲ３８は図２の処理Ｓ２５（Ａ室を出る）、図３のレコードＲ３Ａ，Ｒ３Ｂは図２の処理Ｓ２６（消毒）、図３のレコードＲ３Ｃは図２の処理Ｓ２７（ラウンド終了）に対応している。
【００５１】
なお、図２および図３は一例を示すものであり、実際のラウンドログ４０には、さらに多数の、様々な内容のイベントが記録される。
【００５２】
〔解析ルール〕
ラウンドログの解析を行うために、解析ルールが参照される。
解析ルールとしては、図４に示す重み付けルール５０と、図５に示す危険度ルール６０とが用いられる。
【００５３】
重み付けルール５０は、ラウンドログの各時点における危険度の重み付けをするための「重み」を与えるものであり、重みの基準はラウンドログにおけるイベント内容とされる。
図４において、重み付けルール５０は、距離的影響レベル５１、時間的影響レベル５２、衛生的影響レベル５３、機会的影響レベル５４の各テーブルを有する。
【００５４】
距離的影響レベル５１は、感染源患者との距離による感染危険度の判定要素である。
感染源患者は当然感染源であるが、感染源患者と接触したスタッフも準感染源として、接触の有無および近接した際の距離により、感染の可能性を評価するものである。
本実施形態においては、感染源患者と接触した医療従事者と接触がなければ「１」、ある場合には距離１０ｍ以内が「２」、距離５ｍ以内が「３」、距離３ｍ以内が「４」、距離１ｍ以内が「５」とされる。
【００５５】
時間的影響レベル５２は、感染源患者と接触した時間による感染危険度の判定要素である。
本実施形態においては、感染源患者と接触した医療従事者と接触がなければ「１」、ある場合には対峙したのが１分以上なら「２」、２分以上なら「３」、１０分以上なら「４」とされる。
【００５６】
衛生的影響レベル５３は、感染源患者および他の患者と接触した際の衛生状態に基づく感染危険度の判定要素である。
本実施形態においては、「感染源患者および他の患者と対峙する都度消毒していた」ならば「１」、「感染源患者以外の患者と対峙する際消毒を忘れた」ならば「２」、「感染源患者と対峙する際消毒を忘れた」ならば「３」、「感染源患者および他の患者と対峙する際、一度も消毒していない」ならば「４」とされる。
【００５７】
なお、本実施形態では、衛生的影響レベル５３とは別に、消毒ポンプ３３による「消毒」イベントがあった際には、その時点での累積危険度を「０」にする、という特別ルールを採用している。
また、消毒ポンプ３３による「消毒」イベントがあった際に、その時点で累積危険度を減算する特別ルールを採用することもできる。
【００５８】
機会的影響レベル５４は、感染源患者との接触の機会に関する感染危険度の判定要素である。
本実施形態においては、評価時点の所在場所が「個室」であれば「１」、「４床の病室」であれば「２」、「８床の病室」であれば「３」、「１２床の病室」であれば「４」とされる。
【００５９】
危険度ルール６０は、重み付けルール５０で得られた重み数値から、ラウンドログの各時点における感染危険度および危険度ランクを具体的に算出するものである。
図５において、危険度ルール６０は、感染危険度算出式６１と、危険度ランク判定テーブル６２とを有する。
【００６０】
感染危険度算出式６１は、重み付けルール５０の距離的影響レベル５１による「距離」、時間的影響レベル５２による「時間」、衛生的影響レベル５３による「衛生」、機会的影響レベル５４による「機会」の各要素を順次積算し、その結果を「感染危険度」とする。
例えば、「感染源患者接触後の医療従事者の半径１ｍ以内」（距離＝５）に「２分以上１０分未満」滞在し（時間＝３）、「感染源患者以外の患者と対峙する際消毒を忘れた」（ただし感染源患者と対峙する際には消毒している）（衛生＝２）、それが「４床の病室」だった（機会＝２）とすると、これらの積で「６０」が感染危険度となる。
【００６１】
危険度ランク判定テーブル６２は、感染危険度が「２４１〜３２０」をランク「高」、「１６１〜２４０」をランク「やや高」、「８１〜１６０」をランク「中」、「１〜８０」をランク「低」と判定する。
従って、前述の例の感染危険度「６０」は、危険度「低」と判定される。
【００６２】
〔ラウンドログの解析〕
図１に戻って、ログ解析部１１２は、ログ解析の指示を受けると、ラウンドログデータベース１５から解析対象のラウンドログを取得し、院内情報データベース１６に記録されている重み付けルール５０（図４）および危険度ルール６０（図５）を参照しつつ、ラウンドログの各時点における危険度ランクを判定してゆく。
【００６３】
例えば、図３のラウンドログ４０の解析を行う場合、ラウンドログ４０にはレコードＲ３１の「ラウンド開始」、レコードＲ３２の「消毒」、レコードＲ３４の「Ａ室入る」、レコードＲ３７「バイタル測定」、レコードＲ３８「Ａ室出る」、レコードＲ３Ａ「消毒」、レコードＲ３Ｃ「ラウンド終了」の各イベントがある。
【００６４】
図６に、前述したラウンドにおけるスタッフの危険度の時系列変化を示す。
「ラウンド開始」の段階では、スタッフの危険度「低」であったが、「消毒」により危険度が「０」に下がっている。
スタッフは、「Ａ室入る」の後、患者のバイタル測定を行う。ここで患者が感染源であり「危険度高」であったとすると、スタッフも「危険度高」となり、その後は「高」状態が継続される。
ただし、「Ａ室出る」の後、「消毒」を行うことで、危険度は「０」に戻る。
【００６５】
つまり、患者が感染源となり「危険度高」になったとすると、スタッフによる感染伝播の可能性が生じるが、上述した時系列変化からは、「消毒」までの間の「危険度高」状態での他との接触での感染伝播を確認すればよいことが解る。
なお、患者が感染源であっても、接触した結果「危険度中」であれば、図６の点線の通り、消毒までの期間の危険度は「中」で継続される。
【００６６】
〔マップ表示〕
図１に戻って、マップ表示部１１３は、ログ解析部１１２で得られるログ解析結果と、院内情報データベース１６から得られるマップデータ７０（図７参照）およびエリア表示ルール８０（図８参照）に基づいて、院内感染影響範囲を示す危険度マップを作成し、表示する。
【００６７】
図７に示すように、マップデータ７０は、院内のフロア配置を画像表示可能な情報であり、ナースステーション７１、病室７２、病室内のベッド７３、廊下７４、廊下に面した病室の出入口７５の情報を含んでいる。
【００６８】
図８に示すように、エリア表示ルール８０は、マップデータ７０に院内感染影響範囲を示すエリアを規定するものであり、エリア８１，エリア定義８２，表示する危険度８３の各フィールドを備えている。
【００６９】
「隣室」エリア（エリア８１が「隣室」）は、エリア定義８２で「直接隣接するベッド」と定義され、表示する危険度８３は「感染者の危険度ランク」とされている。
つまり、感染者と直接隣接するベッドの患者は、感染者と同じ危険度ランクとなる（感染する可能性が最大）とされる。
【００７０】
「同室」エリアは、エリア定義８２で「同室の全ベッドおよび隣室の入口側ベッド」と定義され、表示する危険度８３は「感染者の危険度ランク−１」とされている。
「隣室」エリアは、エリア定義８２で「隣室全体および同フロアの他の室の入口側」と定義され、表示する危険度８３は「感染者の危険度ランク−２」とされている。
「同フロア」エリアは、エリア定義８２で「（上記以外の）同フロアの全室」と定義され、表示する危険度８３は「感染者の危険度ランク−３」とされている。
【００７１】
このように、エリア表示ルール８０では、ベッド配置の関係性に基づいてエリアが規定され、空間的な距離および室構成に基づいて、遠いほど感染の危険が少なく、危険度ランクが低くなる設定とされている。
【００７２】
図９は、前述したエリア表示ルール８０により、各エリアに設定される危険度の例を示す。
図９において、感染源の患者の危険度が「高」の場合、「隣接」エリアは「危険度高」（危険度同じ）とされ、「同室」エリアは「危険度やや高」（危険度高−１）、「隣室」エリアは「危険度中」（危険度高−２）、「同フロア」エリアは「危険度低」（危険度高−３）とされる。
同様に、感染源の患者の危険度が「やや高」の場合、「隣接」エリアは「危険度やや高」とされ、「同室」エリアは「危険度中」、「隣室」エリアは「危険度低」とされ、「危険度低」以下となる「同フロア」エリアは「（なし）」とされる。
【００７３】
図１０には、マップ表示の一例が示されている。
この例では、スタッフ（看護師）が、「ナースステーション」を出て、「西１」室に立ち寄り、「東８」室、「東４」室、「東５」室、「東６」室と順次立ち寄り、「ナースステーション」に戻る、というラウンド（矢印表示）を行った例である。
【００７４】
スタッフのラウンドの後、「東５」室の入口側ベッドの患者に「危険度高」の感染が発見されたとする。
サーバ１０において、ログ解析部１１２は、ラウンドログデータベース１５を参照して、図１０に示すスタッフのラウンドにおいて、感染源患者との接触があったことが検出される。
そして、ログ解析部１１２は、スタッフのラウンドログから、「東５」室までの移動では危険度ランク「低」であり（図１０中の移動を示す白抜き線の矢印参照）、接触後の移動（黒太線の矢印参照）では危険度ランク「高」と判定したとする。
マップ表示部１１３は、ログ解析部１１２での解析結果を受けて、マップデータ７０とエリア表示ルール８０を参照し、図１０のようなエリア危険度マップ（院内感染影響範囲マップ）を表示する。
【００７５】
「東５」室において、感染者（危険度高）のベッドと直接隣接する「隣接」エリアは、「危険度高」とされている。ただし、その病室の奥のベッドは「同室」であるため、「危険度やや高」とされる。
「東４」室において、入口側エリアは、感染源患者の「同室」ルール（隣室の入口側）に該当するため、「危険度やや高」とされる。ただし、その病室の奥のベッドは、感染源患者の「隣室」に該当するため、「危険度中」とされる。
【００７６】
「東６」室は、危険度ランク「高」のスタッフが立ち入っているため、「同室」扱いで「危険度やや高」とされる。
他の室は、「同フロア」ルールに基づいて、入口側が「危険度中」、奥のベッドが「危険度低」とされる。
従って、図１０のエリア危険度マップを参照することで、表示されたベッド毎にその感染危険度を把握することができる。
【００７７】
図１１には、スタッフのラウンドが同じであって、感染源患者の感染危険度が一段低い「やや高」だった場合のエリア危険度マップを示す。
このマップにおいては、各エリアの危険度が図１０から一ランクずつ下げられており、東４〜東６以外の各室奥側などは危険度「なし」とされている。
【００７８】
〔本実施形態の効果〕
本実施形態によれば、医療施設内に配置されたラウンド経路機器３０およびラウンドログ記録端末２０を用いて、サーバ１０のラウンドログデータベース１５に院内の人物のラウンド情報を蓄積し、ログ解析部１１２により解析することで、ラウンドした人物の移動情報および各所での活動内容に基づいて、感染伝播の追跡を行うことができる。
【００７９】
ログ解析部１１２での追跡にあたっては、解析ルールとして重み付けルール５０および危険度ルール６０を用いることで、感染の影響についての判定精度を高めることができる。
そして、マップ表示部１１３により、感染の可能性がある人物の移動を追跡した結果を、図１０あるいは図１１のエリア危険度マップにマップ表示することにより、二次感染の影響を視覚的に把握することができる。
【００８０】
本実施形態では、院内にある既存の機器を利用してラウンドログを収集することができる。
すなわち、ラウンド経路機器３０として、バイタル機器３１、バーコードリーダ３２、操作を検出するセンサをもつ消毒ポンプ３３を用いたため、既存の機器を活用してラウンドログを収集することができる。
【００８１】
例えば、看護師がバイタル機器３１で患者のバイタル測定を行えば、その場所をラウンドログとして取得することができる。その際に、患者のリストバンドのバーコードおよび看護師のＩＤカードのバーコードをバーコードリーダ３２で読み取れば、誰と誰が接触したかをラウンドログとして取得することができる。
【００８２】
さらに、消毒ポンプ３３の操作を検出することで、消毒のイベントを記録することができる。
本実施形態では、消毒のイベントがあった際に、その後の危険度を「０」にすることで、処理する情報量の削減が図れる。
【００８３】
本実施形態では、ログ解析部１１２が参照する解析ルールとして、距離的影響レベル、時間的影響レベル、衛生的影響レベル、機会的影響レベルを全て含むとしたので、感染危険度の精度を高めることができ、一方で感染度が低い場合の不必要な対策を解消することもできる。
【００８４】
本実施形態では、マップ表示部１１３が参照するマップ情報として、医療施設内のフロア配置およびベッド配置を示すマップデータ７０と、マップデータに感染危険度を表示するためのエリア表示ルール８０と、を含むようにしたため、感染の可能性がある人物の移動をマップ表示する際に、医療施設内のフロア配置およびベッド配置に応じた感染危険度を適切に表示することができる。
【００８５】
〔変形例〕
本発明は、前述した実施形態の構成に限定されるものではなく、本発明の目的を達成できる範囲内での変形なども、本発明に含まれる。
例えば、ログ解析のための重み付けルール５０および危険度ルール６０において、それぞれのランク数および判定基準は、実施にあたって適宜設定すればよい。
また、マップ表示のためのエリア表示ルール８０についても、そのランク数、判定基準、エリア範囲は実施にあたって適宜設定すればよい。
【００８６】
ラウンドログのデータ項目は、図３のラウンドログ４０の構成に限らず、必要に応じて適宜加除してよい。
また、ラウンドログを収集する構成としては、ラウンドログ記録端末２０で分散処理するのではなく、サーバ１０で一括して処理してもよい。
さらに、ラウンド経路機器３０は、バイタル機器３１、バーコードリーダ３２、消毒ポンプ３３の全てが必須ではなく、その一部だけを用いてもよく、あるいは他の通信機器を追加してもよい。
【符号の説明】
【００８７】
１…院内感染影響範囲閲覧システム、１０…サーバ、１１…制御部、１１１…ログ管理部、１１２…ログ解析部、１１３…マップ表示部、１２…通信部、１３…操作部、１４…表示部、１５…ラウンドログデータベース、１６…院内情報データベース、２…院内ネットワーク、２０…ラウンドログ記録端末、２１…制御部、２１１…データ読込部、２１２…ログ記憶部、２１３…ログ送信部、２２…通信部、２３…操作部、２４…表示部、３…スタッフ、３０…ラウンド経路機器、３１…バイタル機器、３２…バーコードリーダ、３３…消毒ポンプ、４０…ラウンドログ、４０１…ログ管理情報、４０２…ログ内容情報、４１…ログ番号、４２…ログ日付、４３…ログ時刻、４４…ログ機器、４５…スタッフ、４６…患者、４７…場所、４８…イベント、５０…重み付けルール、５１…距離的影響レベル、５２…時間的影響レベル、５３…衛生的影響レベル、５４…機会的影響レベル、６０…危険度ルール、６１…感染危険度算出式、６２…危険度ランク判定テーブル、７０…マップデータ、７１…ナースステーション、７２…病室、７３…ベッド、７４…廊下、７５…出入口、８０…エリア表示ルール、８１…エリア、８２…エリア定義、８３…危険度、Ｒ３１，Ｒ３２，Ｒ３３，Ｒ３４，Ｒ３５，Ｒ３６，Ｒ３７，Ｒ３８，Ｒ３Ａ，Ｒ３Ｂ，Ｒ３Ｃ…レコード、Ｓ２１，Ｓ２２，Ｓ２３，Ｓ２４，Ｓ２５，Ｓ２６，Ｓ２７，Ｓ２８…処理。
【図１】
2016184196.tif 000003
【図２】
2016184196.tif 000004
【図３】
2016184196.tif 000005
【図４】
2016184196.tif 000006
【図５】
2016184196.tif 000007
【図６】
2016184196.tif 000008
【図７】
2016184196.tif 000009
【図８】
2016184196.tif 000010
【図９】
2016184196.tif 000011
【図１０】
2016184196.tif 000012
【図１１】
2016184196.tif 000013